(57)【要約】利便性または信頼性に優れた新規な表示パネルを提供する。また、新規な表示装置を提供する。また、新規な入出力装置を提供する。画素を有する表示パネルであって、画素は機能層および第１の表示素子を含み、機能層は絶縁膜および画素回路を備える。絶縁膜は表示素子および画素回路の間に挟まれる領域を備え、絶縁膜は着色膜を含む。着色膜は開口部を備える。画素回路は導電膜を備える。導電膜は着色膜と重なる領域を備え、導電膜は開口部と重なる領域を備え、導電膜は開口部において表示素子と電気的に接続され、導電膜は遮光性を備える。
2018193340.tif 000002
【特許請求の範囲】
【請求項１】
第１の画素を有し、
前記第１の画素は、機能層および第１の表示素子を含み、
前記機能層は、絶縁膜および第１の画素回路を備え、
前記絶縁膜は、前記第１の表示素子および前記第１の画素回路の間に挟まれる領域を備え、
前記絶縁膜は、第１の着色膜を含み、
前記第１の着色膜は、第１の開口部を備え、
前記第１の画素回路は、第１の導電膜を備え、
前記第１の導電膜は、前記第１の着色膜と重なる領域を備え、
前記第１の導電膜は、前記第１の開口部と重なる領域を備え、
前記第１の導電膜は、前記第１の開口部において、前記第１の表示素子と電気的に接続され、
前記第１の導電膜は、遮光性を備える、表示パネル。
【請求項２】
前記第１の画素は、３μｍ以上５μｍ以下の距離を、前記第１の表示素子の端部および前記第１の開口部の端部の間に備える、請求項１に記載の表示パネル。
【請求項３】
前記第１の開口部は、１．４４μｍ２以上４９μｍ２以下の面積を備え、
前記第１の画素は、２０％以上の開口率を備える、請求項１に記載の表示パネル。
【請求項４】
第２の画素を有し、
前記第２の画素は、前記機能層および第２の表示素子を含み、
前記機能層は、第２の画素回路を備え、
前記絶縁膜は、前記第２の表示素子および前記第２の画素回路に挟まれる領域を備え、
前記絶縁膜は、第２の着色膜を含み、
前記第２の着色膜は、前記第１の着色膜と重なる領域を備え、
前記第２の着色膜は、前記第１の着色膜とは異なる色の光を透過する機能を備え、
前記第２の着色膜は、第２の開口部を備え、
前記第２の画素回路は、第２の導電膜を備え、
前記第２の導電膜は、前記第２の着色膜と重なる領域を備え、
前記第２の導電膜は、前記第２の開口部と重なる領域を備え、
前記第２の導電膜は、前記第２の開口部において、前記第２の表示素子と電気的に接続され、
前記第２の導電膜は、遮光性を備える請求項１に記載の表示パネル。
【請求項５】
第２の画素を有し、
前記第２の画素は、前記機能層および第２の表示素子を含み、
前記機能層は、第２の画素回路を備え、
前記絶縁膜は、前記第２の表示素子および前記第２の画素回路に挟まれる領域を備え、
前記絶縁膜は、第２の着色膜を含み、
前記第１の着色膜は、第２の開口部および第３の開口部を備え、
前記第２の着色膜は、前記第３の開口部と重なる領域を備え、
前記第２の着色膜は、前記第１の着色膜と重なる領域を備え、
前記第２の着色膜は、前記第１の着色膜とは異なる色の光を透過する機能を備え、
前記第２の画素回路は、第２の導電膜を備え、
前記第２の導電膜は、前記第１の着色膜と重なる領域を備え、
前記第２の導電膜は、前記第２の開口部と重なる領域を備え、
前記第２の導電膜は、前記第２の開口部において、前記第２の表示素子と電気的に接続され、
前記第２の導電膜は、遮光性を備える請求項１に記載の表示パネル。
【請求項６】
前記第１の着色膜は、前記第２の着色膜が透過する光の波長より長い波長の光を透過する、請求項４または請求項５に記載の表示パネル。
【請求項７】
表示領域を有し、
表示領域は、一群の複数の画素、他の一群の複数の画素、走査線、および信号線を備え、
前記一群の複数の画素は、前記第１の画素を含み、
前記一群の複数の画素は、行方向に配設され、
前記他の一群の複数の画素は、前記第２の画素を含み、
前記他の一群の複数の画素は、前記行方向と交差する列方向に配設され、
前記走査線は、前記一群の複数の画素と電気的に接続され、
前記信号線は、前記他の一群の複数の画素と電気的に接続される、請求項４または請求項５に記載の表示パネル。
【請求項８】
前記表示領域は、１インチあたり６００個以上の画素を備える、請求項７に記載の表示パネル。
【請求項９】
請求項１に記載の表示パネルと、
制御部と、を有し、
前記制御部は、画像情報および制御情報を供給され、
前記制御部は、前記画像情報に基づいて情報を生成し、
前記制御部は、前記情報を供給し、
前記表示パネルは、前記情報を供給され、
前記第１の表示素子は、前記情報に基づいて表示する、表示装置。
【請求項１０】
入力部と、表示部と、を有し、
前記表示部は、請求項１に記載の表示パネルを備え、
前記入力部は、検知領域を備え、
前記入力部は、前記検知領域に近接するものを検知し、
前記検知領域は、前記第１の画素と重なる領域を備える入出力装置。
【請求項１１】
キーボード、ハードウェアボタン、ポインティングデバイス、タッチセンサ、照度センサ、撮像装置、音声入力装置、視線入力装置、姿勢検出装置、のうち一以上と、請求項１に記載の表示パネルと、を含む、情報処理装置。
【発明の詳細な説明】
【技術分野】
【０００１】本発明の一態様は、表示パネル、表示装置、入出力装置または情報処理装置に関する。【０００２】なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】開口率が高いまたは消費電力の低い半導体装置としては、ゲート電極として機能する透光性を有する導電層と、該透光性を有する導電層上に形成されるゲート絶縁膜と、ゲート電極として機能する透光性を有する導電層上にゲート絶縁膜を介して半導体層と、半導体層に電気的に接続されたソース電極又はドレイン電極として機能する透光性を有する導電層と、で構成されているものが知られている（特許文献１）。
【先行技術文献】
【特許文献】
【０００４】
【特許文献１】特開２００９−３０２５２０号公報
【発明の概要】
【発明が解決しようとする課題】
【０００５】本発明の一態様は、利便性または信頼性に優れた新規な表示パネルを提供することを課題の一とする。または、利便性または信頼性に優れた新規な表示装置を提供することを課題の一とする。または、利便性または信頼性に優れた新規な入出力装置を提供することを課題の一とする。または、利便性または信頼性に優れた新規な情報処理装置を提供することを課題の一とする。または、新規な表示パネル、新規な表示装置、新規な入出力装置、新規な情報処理装置または新規な半導体装置を提供することを課題の一とする。【０００６】なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】（１）本発明の一態様は、第１の画素を有する表示パネルである。【０００８】第１の画素は、機能層および第１の表示素子を含む。機能層は、絶縁膜および第１の画素回路を備える。【０００９】絶縁膜は第１の表示素子および第１の画素回路の間に挟まれる領域を備え、絶縁膜は第１の着色膜を含む。【００１０】第１の着色膜は第１の開口部を備え、第１の画素回路は第１の導電膜を備える。【００１１】第１の導電膜は第１の着色膜と重なる領域を備え、第１の導電膜は第１の開口部と重なる領域を備える。また、第１の導電膜は第１の開口部において、第１の表示素子と電気的に接続され、第１の導電膜は遮光性を備える。【００１２】これにより、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、利便性または信頼性に優れた新規な表示パネルを提供することができる。【００１３】（２）また、本発明の一態様は、上記の第１の画素が２μｍ以上１０μｍ以下の距離を、第１の表示素子の端部および第１の開口部の端部の間に備える表示パネルである。【００１４】（３）また、本発明の一態様は、上記の第１の開口部が１．４４μｍ２以上４９μｍ２以下の面積を備え、上記の画素は２０％以上の開口率を備える表示パネルである。【００１５】これにより、表示素子の端部を第１の開口部の端部の近くに配設することができる。または、レイアウトの自由度を高めることができる。または、画素の開口率を高めることができる。その結果、利便性または信頼性に優れた新規な表示パネルを提供することができる。【００１６】（４）また、本発明の一態様は、第２の画素を有する上記の表示パネルである。【００１７】第２の画素は機能層および第２の表示素子を含む。機能層は第２の画素回路を備える。【００１８】絶縁膜は第２の表示素子および第２の画素回路に挟まれる領域を備え、絶縁膜は第２の着色膜を含む。【００１９】第２の着色膜は第１の着色膜と重なる領域を備え、第２の着色膜は第１の着色膜とは異なる色の光を透過する機能を備え、第２の着色膜は第２の開口部を備える。【００２０】第２の画素回路は第２の導電膜を備える。【００２１】第２の導電膜は第２の着色膜と重なる領域を備え、第２の導電膜は第２の開口部と重なる領域を備える。また、第２の導電膜は第２の開口部において、第２の表示素子と電気的に接続され、第２の導電膜は遮光性を備える。【００２２】これにより、第１の着色膜との間に隙間を設けることなく第２の着色膜を設けることができる。または、第１の着色膜および第２の着色膜の間から光を漏らすことがない。または、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、���便性または信頼性に優れた新規な表示パネルを提供することができる。【００２３】（５）また、本発明の一態様は、第２の画素を有する上記の表示パネルである。【００２４】第２の画素は機能層および第２の表示素子を含み、機能層は第２の画素回路を備える。【００２５】絶縁膜は第２の表示素子および第２の画素回路に挟まれる領域を備え、絶縁膜は第２の着色膜を含む。【００２６】第１の着色膜は第２の開口部および第３の開口部を備える。【００２７】第２の着色膜は第３の開口部と重なる領域を備え、第２の着色膜は第１の着色膜と重なる領域を備え、第２の着色膜は第１の着色膜とは異なる色の光を透過する機能を備える。【００２８】第２の画素回路は、第２の導電膜を備える。【００２９】第２の導電膜は第１の着色膜と重なる領域を備え、第２の導電膜は第２の開口部と重なる領域を備える。また、第２の導電膜は第２の開口部において、第２の表示素子と電気的に接続され、第２の導電膜は遮光性を備える。【００３０】これにより、第１の開口部を設ける工程と同一の工程で、第２の開口部および第３の開口部を設けることができる。第１の着色膜との間に隙間を設けることなく第２の着色膜を設けることができる。または、第１の着色膜および第２の着色膜の間から光を漏れなくすることができる。または、第２の着色膜を透過した光を第１の着色膜に設けた第３の開口部から射出することができる。または、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、利便性または信頼性に優れた新規な表示パネルを提供することができる。【００３１】（６）また、本発明の一態様は、上記の第１の着色膜は第２の着色膜が透過する光の波長より長い波長の光を透過する表示パネルである。【００３２】これにより、第２の表示素子が射出する光を、第１の着色膜に斜め方向から入射することができる。または、第２の表示素子から第１の着色膜に斜め方向から入射する光の波長を、第１の表示素子から入射する光の波長に比べて、短くすることができる。または、第２の表示素子から第１の着色膜に斜め方向から入射する光の波長に比べて、第１の表示素子から入射する光の波長を長くすることができる。または、第２の着色膜を透過する光を第１の着色膜を用いて吸収することができる。または、第２の表示素子が射出する光を第１の着色膜を用いて吸収することができる。または、第２の表示素子から射出される光を第１の着色膜を用いて吸収することができる。または、着色膜を用いて不要な光を吸収することができる。または、鮮やかな色を表示することができる。その結果、利便性または信頼性に優れた新規な表示パネルを提供することができる。【００３３】（７）また、本発明の一態様は、表示領域を有する上記の表示パネルである。【００３４】表示領域は、一群の複数の画素、他の一群の複数の画素、走査線および信号線を備える。【００３５】一群の複数の画素は第１の画素を含み、一群の複数���画素は、行方向に配設される。【００３６】他の一群の複数の画素は画素を含み、他の一群の複数の画素は、行方向と交差する列方向に配設される。【００３７】走査線は一群の複数の画素と電気的に接続され、信号線は他の一群の複数の画素と電気的に接続される。【００３８】これにより、複数の画素に画像情報を供給することができる。その結果、利便性または信頼性に優れた新規な表示パネルを提供することができる。【００３９】（８）また、本発明の一態様は、上記の表示領域が１インチあたり６００個以上の画素を備える表示パネルである。【００４０】これにより、画素の精細度を保ちつつ、開口率を大きくすることができる。または、開口率を保ちつつ、画素の精細度を高めることができる。その結果、利便性または信頼性に優れた新規な表示パネルを提供することができる。【００４１】（９）また、本発明の一態様は、上記の表示パネルと、制御部と、を有する表示装置である。【００４２】制御部は画像情報および制御情報を供給され、制御部は画像情報に基づいて情報を生成し、制御部は情報を供給する。【００４３】表示パネルは情報を供給され、表示素子は情報に基づいて表示する。【００４４】これにより、表示素子を用いて画像情報を表示することができる。その結果、利便性または信頼性に優れた新規な表示装置を提供することができる。【００４５】（１０）また、本発明の一態様は、入力部と、表示部と、を有する入出力装置である。【００４６】表示部は上記の表示パネルを備える。【００４７】入力部は検知領域を備え、入力部は検知領域に近接するものを検知する。【００４８】検知領域は画素と重なる領域を備える。【００４９】これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性または信頼性に優れた新規な入出力装置を提供することができる。【００５０】（１１）また、本発明の一態様は、キーボード、ハードウェアボタン、ポインティングデバイス、タッチセンサ、照度センサ、撮像装置、音声入力装置、視線入力装置、姿勢検出装置、のうち一以上と、上記の表示パネルと、を含む、情報処理装置である。【００５１】これにより、さまざまな入力装置を用いて供給する情報に基づいて、画像情報または制御情報を演算装置に生成させることができる。その結果、利便性または信頼性に優れた新規な情報処理装置を提供することができる。【００５２】本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。【００５３】本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチ���ネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。【００５４】本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。【００５５】本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。【００５６】本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。【００５７】本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。【００５８】また、本明細書中において、トランジスタの第１の電極または第２の電極の一方がソース電極を、他方がドレイン電極を指す。
【発明の効果】
【００５９】本発明の一態様によれば、利便性または信頼性に優れた新規な表示パネルを提供することができる。または、利便性または信頼性に優れた新規な表示装置を提供することができる。または、利便性または信頼性に優れた新規な入出力装置を提供することができる。または、利便性または信頼性に優れた新規な情報処理装置を提供することができる。または、新規な表示パネル、新規な表示装置、新規な入出力装置、新規な情報処理装置または新規な半導体装置を提供することができる。【００６０】なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００６１】
【図１】実施の形態に係る表示パネルの構成を説明する下面図。
【図２】実施の形態に係る表示パネルの画素回路を説明する図。
【図３】実施の形態に係る表示パネルの画素の構成を説明する下面図。
【図４】実施の形態に係る表示パネルの構成を説明する下面図および断面図。
【図５】実施の形態に係る表示パネルの構成を説明する下面図および断面図。
【図６】実施の形態に係る表示パネルの構成を説明する断面図。
【図７】実施の形態に係る表示パネルの構成を説明する断面図。
【図８】実施の形態に係る表示パネルの画素の構成を説明する断面図。
【図９】実施の形態に係る表示パネルの作製方法を説明するフロー図および断面図。
【図１０】実施の形態に係る表示パネルの構成を説明するブロック図。
【図１１】実施の形態に係る表示装置を説明する図。
【図１２】実施の形態に係る入出力装置の構成を説明するブロック図。
【図１３】実施の形態に係る情報処理装置の構成を説明するブロック図および投影図。
【図１４】実施の形態に係る情報処理装置の駆動方法を説明するフローチャート。
【図１５】実施の形態に係る情報処理装置の駆動方法を説明する図。
【図１６】実施の形態に係る情報処理装置の構成を説明する図。
【図１７】実施の形態に係る情報処理装置の構成を説明する図。
【図１８】実施例に係る着色膜の電子顕微鏡写真。
【図１９】実施例に係る表示パネルの光学顕微鏡写真。
【図２０】比較例に係る表示パネルの構成を説明する下面図および断面図。
【発明を実施するための形態】
【００６２】本発明の一態様の表示パネルは、画素を有する。画素は機能層および第１の表示素子を含み、機能層は絶縁膜および画素回路を備える。絶縁膜は表示素子および画素回路の間に挟まれる領域を備え、絶縁膜は着色膜を含む。着色膜は開口部を備える。画素回路は導電膜を備える。導電膜は着色膜と重なる領域を備え、導電膜は開口部と重なる領域を備え、導電膜は開口部において表示素子と電気的に接続され、導電膜は遮光性を備える。
【００６３】これにより、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、利便性または信頼性に優れた新規な表示パネルを提供することができる。
【００６４】実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００６５】（実施の形態１）
本実施の形態では、本発明の一態様の表示パネルの構成について、図１乃至図８を参照しながら説明する。
【００６６】図１（Ａ）は本発明の一態様の表示パネルの構成を説明する下面図であり、図１（Ｂ）は図１（Ａ）の一部を説明する下面図であり、図１（Ｃ）は他の一部を説明する下面図である。
【００６７】図２は表示パネルの構成を説明する断面図である。図２（Ａ）は、図１（Ａ）の切断線Ｘ１−Ｘ２、切断線Ｘ３−Ｘ４、切断線Ｘ９−Ｘ１０における断面図であり、図２（Ｂ）は画素回路を説明する回路図である。図２（Ｃ）は、図２（Ａ）に示す画素とは異なる画素の断面図である。
【００６８】図３は図１（Ｃ）に示す表示パネルの画素の構成を説明する下面図である。
【００６９】図４（Ａ）は本発明の一態様の表示パネルの画素の構成を説明する下面図であり、図４（Ｂ）は図４（Ａ）の一部を説明する下面図であり、図４（Ｃ）は図４（Ａ）の切断線Ｘ２１−Ｘ２３における断面図である。
【００７０】図５（Ａ）は本発明の一態様の表示パネルの画素の構成を説明する下面図であり、図５（Ｂ）は図５（Ａ）の一部を説明する下面図であり、図５（Ｃ）は図５（Ａ）の切断線Ｘ２１−Ｘ２３における断面図である。
【００７１】図６および図７は表示パネルの構成を説明する断面図である。
【００７２】図６（Ａ）は図１（Ａ）の切断線Ｘ１−Ｘ２、切断線Ｘ３−Ｘ４、図３の切断線Ｘ５−Ｘ６における断面図であり、図６（Ｂ）および図６（Ｃ）はいずれも図６（Ａ）の一部を説明する図である。
【００７３】図７（Ａ）は図３の切断線Ｘ７−Ｘ８、図１（Ａ）の切断線Ｘ９−Ｘ１０における断面図である。
【００７４】図８は表示パネルの構成を説明する断面図である。図８は図６（Ａ）の一部を説明する図である。
【００７５】なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００７６】＜表示パネルの構成例１．＞
本実施の形態で説明する表示パネル７００は、画素７０２（ｉ，ｊ）を有する（図１（Ａ）参照）。また、表示パネル７００は、基材５１０および基材７７０を備える（図６（Ａ）参照）。
【００７７】《画素７０２（ｉ，ｊ）の構成１．》
画素７０２（ｉ，ｊ）は、機能層５２０および表示素子５５０（ｉ，ｊ）を含む（図２（Ａ）参照）。
【００７８】《機能層５２０の構成１．》
機能層５２０は、絶縁膜および画素回路５３０（ｉ，ｊ）を備える。
【００７９】絶縁膜は表示素子５５０（ｉ，ｊ）および画素回路５３０（ｉ，ｊ）の間に挟まれる領域を備える（図６（Ａ）参照）。例えば、絶縁膜５０１Ｃ、絶縁膜５０１Ｄ、絶縁膜５１６Ａ、絶縁膜５１６Ｂ、絶縁膜５０６、絶縁膜５０４または絶縁膜５１８は、表示素子５５０（ｉ，ｊ）および画素回路５３０（ｉ，ｊ）の間に挟まれる領域を備える。また、絶縁膜は着色膜５２１Ｒを含む。
【００８０】《着色膜５２１Ｒの構成１．》
着色膜５２１Ｒは、開口部５２２Ａ（ｉ，ｊ）を備える。
【００８１】《画素回路５３０（ｉ，ｊ）の構成１．》
画素回路５３０（ｉ，ｊ）は、導電膜５１２Ａ（ｉ，ｊ）を備える（図４（Ｃ）または図６（Ａ）参照）。
【００８２】例えば、スイッチ、トランジスタ、ダイオード、抵抗素子、インダクタまたは容量素子等を画素回路５３０（ｉ，ｊ）に用いることができる。
【００８３】画素回路５３０（ｉ，ｊ）は、表示素子５５０（ｉ，ｊ）を駆動する機能を備える。例えば、図２（Ｂ）に示す画素回路を用いて有機ＥＬ素子を駆動して、表示素子に用いることができる。
【００８４】画素回路５３０（ｉ，ｊ）は、スイッチＳＷ２および容量素子Ｃ２１を含む。
【００８５】例えば、トランジスタをスイッチＳＷ２に用いることができる（図２（Ｂ）、図３、図７（Ａ）および図７（Ｂ）参照）。
【００８６】容量素子Ｃ２１は第１の領域５０８Ａまたは第２の領域５０８Ｂを含む（図３または図７（Ａ）参照）。例えば、透光性を備える導電膜を導電膜５２４Ｃに用いることができる。具体的には、導電性酸化物膜を導電膜５２４Ｃに用いることができる。
【００８７】《導電膜５１２Ａ（ｉ，ｊ）の構成１．》
導電膜５１２Ａ（ｉ，ｊ）は着色膜５２１Ｒと重なる領域を備え、導電膜５１２Ａ（ｉ，ｊ）は開口部５２２Ａ（ｉ，ｊ）と重なる領域を備える。
【００８８】また、導電膜５１２Ａ（ｉ，ｊ）は開口部５２２Ａ（ｉ，ｊ）において表示素子５５０（ｉ，ｊ）と電気的に接続される。
【００８９】また、導電膜５１２Ａ（ｉ，ｊ）は、遮光性を備える。例えば、透光性を備える導電膜および遮光性を備える導電膜を積層した積層材料を導電膜５１２Ａ（ｉ，ｊ）に用いることができる。
【００９０】これにより、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、利便性または信頼性に優れた新規な表示パネルを提供することができる。
【００９１】《画素７０２（ｉ，ｊ）の構成２．》
画素７０２（ｉ，ｊ）は、２μｍ以上１０μｍ以下または３μｍ以上５μｍ以下の距離ｄ１を、表示素子５５０（ｉ，ｊ）の端部および開口部５２２Ａ（ｉ，ｊ）の端部の間に備える（図６（Ａ）参照）。
【００９２】開口部５２２Ａ（ｉ，ｊ）は、１．４４μｍ２以上４９μｍ２以下の面積を備える。また、画素７０２（ｉ，ｊ）は、２０％以上の開口率を備える。
【００９３】これにより、表示素子の端部を第１の開口部の端部の近くに配設することができる。または、レイアウトの自由度を高めることができる。または、画素の開口率を高めることができる。その結果、利便性または信頼性に優れた新規な表示パネルを提供することができる。
【００９４】＜表示パネルの構成例２．＞
本実施の形態で説明する表示パネル７００は、画素７０２（ｉ，ｊ＋１）を有する（図４（Ａ）参照）。
【００９５】《画素７０２（ｉ，ｊ＋１）の構成１．》
画素７０２（ｉ，ｊ＋１）は、機能層５２０および表示素子５５０（ｉ，ｊ＋１）を含む（図２（Ｃ）参照）。
【００９６】《機能層５２０の構成２．》
機能層５２０は、画素回路５３０（ｉ，ｊ＋１）を備える。
【００９７】絶縁膜は表示素子５５０（ｉ，ｊ＋１）および画素回路５３０（ｉ，ｊ＋１）に挟まれる領域を備える。図示しないが、例えば、絶縁膜５０１Ｃ、絶縁膜５０１Ｄ、絶縁膜５１６Ａ、絶縁膜５１６Ｂ、絶縁膜５０６、絶縁膜５０４または絶縁膜５１８は、表示素子５５０（ｉ，ｊ）および画素回路５３０（ｉ，ｊ）の間に挟まれる領域を備える。絶縁膜は、着色膜５２１Ｇを含む。
【００９８】なお、機能層５２０は絶縁膜５２１Ｃを備える（図４（Ｃ）参照）。絶縁膜５２１Ｃは、着色膜５２１Ｒと重なる領域および着色膜５２１Ｇと重なる領域を備える。これにより、着色膜５２１Ｒおよび着色膜５２１Ｇが重なる領域に生じる段差を平坦にすることができる。
【００９９】《着色膜５２１Ｇの構成１．》
着色膜５２１Ｇは、着色膜５２１Ｒと重なる領域を備える（図４（Ｃ）参照）。着色膜５２１Ｇは着色膜５２１Ｒとは異なる色の光を透過する機能を備える。例えば、赤色の光を透過する材料を着色膜５２１Ｒに用いることができ、緑色の光を透過する材料を着色膜５２１Ｇに用いることができる。
【０１００】着色膜５２１Ｇは開口部５２２Ａ（ｉ，ｊ＋１）を備える。
【０１０１】《画素回路５３０（ｉ，ｊ＋１）の構成１．》
画素回路５３０（ｉ，ｊ＋１）は、導電膜５１２Ａ（ｉ，ｊ＋１）を備える（図４（Ｃ）参照）。
【０１０２】《導電膜５１２Ａ（ｉ，ｊ＋１）の構成１．》
導電膜５１２Ａ（ｉ，ｊ＋１）は着色膜５２１Ｇと重なる領域を備え、導電膜５１２Ａ（ｉ，ｊ＋１）は開口部５２２Ａ（ｉ，ｊ＋１）と重なる領域を備える。
【０１０３】また、導電膜５１２Ａ（ｉ，ｊ＋１）は開口部５２２Ａ（ｉ，ｊ＋１）において、表示素子５５０（ｉ，ｊ＋１）と電気的に接続される。
【０１０４】また、導電膜５１２Ａ（ｉ，ｊ＋１）は遮光性を備える。例えば、導電膜５１２Ａ（ｉ，ｊ）に用いる材料と同じ材料を導電膜５１２Ａ（ｉ，ｊ＋１）に用いることができる。
【０１０５】これにより、第１の着色膜との間に隙間を設けることなく第２の着色膜を設けることができる。または、第１の着色膜および第２の着色膜の間から光を漏らすことがない。または、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、利便性または信頼性に優れた新規な表示パネルを提供することができる。
【０１０６】＜表示パネルの構成例３．＞
本実施の形態で説明する表示パネル７００は、画素７０２（ｉ，ｊ＋１）を有する（図５（Ａ）参照）。
【０１０７】《画素７０２（ｉ，ｊ＋１）の構成２．》
画素７０２（ｉ，ｊ＋１）は、機能層５２０および表示素子５５０（ｉ，ｊ＋１）を含む（図２（Ｃ）参照）。
【０１０８】《機能層５２０の構成３．》
機能層５２０は、画素回路５３０（ｉ，ｊ＋１）を備える。
【０１０９】絶縁膜は表示素子５５０（ｉ，ｊ＋１）および画素回路５３０（ｉ，ｊ＋１）に挟まれる領域を備える。図示しないが、例えば、絶縁膜５０１Ｃ、絶縁膜５０１Ｄ、絶縁膜５１６Ａ、絶縁膜５１６Ｂ、絶縁膜５０６、絶縁膜５０４または絶縁膜５１８は、表示素子５５０（ｉ，ｊ）および画素回路５３０（ｉ，ｊ）の間に挟まれる領域を備える。絶縁膜は、着色膜５２１Ｇを含む。
【０１１０】《着色膜５２１Ｒの構成２．》
着色膜５２１Ｒは、開口部５２２Ａ（ｉ，ｊ＋１）および開口部５２２Ｃ（ｉ，ｊ＋１）を備える（図５（Ｂ）参照）。
【０１１１】《着色膜５２１Ｇの構成２．》
着色膜５２１Ｇは開口部５２２Ｃ（ｉ，ｊ＋１）と重なる領域を備え、着色膜５２１Ｇは着色膜５２１Ｒと重なる領域を備える。また、着色膜５２１Ｇは着色膜５２１Ｒとは異なる色の光を透過する機能を備える。
【０１１２】《画素回路５３０（ｉ，ｊ＋１）の構成２．》
画素回路５３０（ｉ，ｊ＋１）は、導電膜５１２Ａ（ｉ，ｊ＋１）を備える（図５（Ｃ）参照）。
【０１１３】《導電膜５１２Ａ（ｉ，ｊ＋１）の構成２．》
導電膜５１２Ａ（ｉ，ｊ＋１）は着色膜５２１Ｒと重なる領域を備え、導電膜５１２Ａ（ｉ，ｊ＋１）は開口部５２２Ａ（ｉ，ｊ＋１）と重なる領域を備える。
【０１１４】また、導電膜５１２Ａ（ｉ，ｊ＋１）は開口部５２２Ａ（ｉ，ｊ＋１）において、表示素子５５０（ｉ，ｊ＋１）と電気的に接続される。
【０１１５】また、導電膜５１２Ａ（ｉ，ｊ＋１）は遮光性を備える。例えば、導電膜５１２Ａ（ｉ，ｊ）に用いる材料と同じ材料を導電膜５１２Ａ（ｉ，ｊ＋１）に用いることができる。
【０１１６】これにより、第１の開口部を設ける工程と同一の工程で、第２の開口部および第３の開口部を設けることができる。第１の着色膜との間に隙間を設けることなく第２の着色膜を設けることができる。または、第１の着色膜および第２の着色膜の間から光を漏れなくすることができる。または、第２の着色膜を透過した光を第１の着色膜に設けた第３の開口部から射出することができる。または、着色膜に設けた開口部を介して、表示素子を導電膜と電気的に接続することができる。または、着色膜の開口部から漏れる光を、導電膜を用いて遮光することができる。または、着色膜の開口部から漏れる光を、導電膜を用いて透過しにくくすることができる。または、着色膜を透過して鮮やかな色を表示することができる。その結果、利便性または信頼性に優れた新規な表示パネルを提供することができる。
【０１１７】《着色膜５２１Ｒの構成３．》
着色膜５２１Ｒは着色膜５２１Ｇが透過する光の波長より長い波長の光を透過する。
【０１１８】これにより、第２の表示素子が射出する光を、第１の着色膜に斜め方向から入射することができる。または、第２の表示素子から第１の着色膜に斜め方向から入射する光の波長を、第１の表示素子から入射する光の波長に比べて、短くすることができる。または、第２の表示素子から第１の着色膜に斜め方向から入射する光の波長に比べて、第１の表示素子から入射する光の波長を長くすることができる。または、第２の着色膜を透過する光を第１の着色膜を用いて吸収することができる。または、第２の表示素子が射出する光を第１の着色膜を用いて吸収することができる。または、第２の表示素子から射出される光を第１の着色膜を用いて吸収することができる。または、着色膜を用いて不要な光を吸収することができる。または、鮮やかな色を表示することができる。その結果、利便性または信頼性に優れた新規な表示パネルを提供することができる。
【０１１９】《機能層５２０の構成例４．》
機能層５２０は、着色膜５２１Ｒ、絶縁膜５１８、および絶縁膜５２８を備える（図６（Ａ）、図６（Ｃ）および図８参照）。
【０１２０】着色膜５２１Ｒは画素回路５３０（ｉ，ｊ）および表示素子５５０（ｉ，ｊ）の間に挟まれる領域を備え、着色膜５２１Ｒは開口部５２２Ａ（ｉ，ｊ）を備える。
【０１２１】着色膜５２１Ｒは、電極５５１（ｉ，ｊ）の外周に沿って段差を備える。例えば、電極５５１（ｉ，ｊ）と重なる領域に比べて厚さが薄い領域を、電極５５１（ｉ，ｊ）と重ならない領域に備える絶縁膜を、絶縁膜５２１に用いることができる（図８参照）。具体的には、電極５５１（ｉ，ｊ）をマスクに用いて、絶縁膜５２１を加工する。例えば、樹脂を絶縁膜５２１に用いる場合、アッシング法等を用いて加工する。
【０１２２】絶縁膜５１８は、画素回路５３０（ｉ，ｊ）および絶縁膜５２１の間に挟まれる領域を備える。絶縁膜５１８は、開口部５２２Ａ（ｉ，ｊ）と一致する周縁を有する開口部を備える。
【０１２３】これにより、表示素子および画素回路を確実に電気的に接続することができる。または、着色膜をレジストマスクに用いて、絶縁膜に開口部を形成することができる。または、表示パネルを作製する際に用いるフォトマスクの数、材料および工程を削減することができる。または、表示パネルを作製する際の歩留りを高め、コストを低減することができる。その結果、利便性または信頼性に優れた新規な表示パネルを提供することができる。
【０１２４】＜着色膜の作製方法＞
本発明の一態様の着色膜の作製方法は、下記のステップを有する（図９参照）。
【０１２５】［第１のステップ］
絶縁膜５２１を絶縁膜５１８上に形成する（図９（Ａ）（Ｗ１）および図９（Ｂ）（Ｗ１）参照）。例えば、スピンコーターを絶縁膜５２１の形成に用いることができる。
【０１２６】［第２のステップ］
レジスト４１を絶縁膜５２１上に形成する（図９（Ａ）（Ｗ２）および図９（Ｂ）（Ｗ２）参照）。例えば、フォトマスクを用いて所定の形状に成形した感光性高分子をレジスト４１に用いることができる。
【０１２７】［第３のステップ］
絶縁膜５２１に開口部５２２Ａ（ｉ，ｊ＋１）および開口部５２２Ｃ（ｉ，ｊ＋１）を設け、着色膜５２１Ｒを形成する（図９（Ａ）（Ｗ３）および図９（Ｂ）（Ｗ３）参照）。例えば、ドライエッチング法を用いて開口部を形成することができる。
【０１２８】これにより、例えば、１．４４μｍ２以上４９μｍ２以下または２．２５μｍ２以上４９μｍ２以下の面積を備える比較的小さな開口部５２２Ａ（ｉ，ｊ＋１）を形成することができる。または、例えば、８Ｋテレビジョンや８Ｋテレビジョン用モニターに用いることができる表示パネルを提供することができる。または、０．１２３μｍ２以上４９μｍ２以下の面積を備える非常に小さな開口部５２２Ａ（ｉ，ｊ＋１）を形成することができる。または、例えば、ヘッドマウントディスプレイや電子ビューファインダに用いることができる表示パネルを提供することができる。また、同一の工程で、開口部５２２Ａ（ｉ，ｊ＋１）より大きい面積を備える５２２Ｃ（ｉ，ｊ＋１）を形成することができる。
【０１２９】［第４のステップ］
レジスト４１を除去する。例えば、剥離液を用いることができる（図９（Ａ）（Ｗ４）および図９（Ｂ）（Ｗ４）参照）。
【０１３０】［第５のステップ］
着色膜５２１Ｇを開口部５２２Ｃ（ｉ，ｊ＋１）に形成する（図９（Ａ）（Ｗ５）および図９（Ｂ）（Ｗ５）参照）。例えば、着色材料を含む感光性高分子を着色膜５２１Ｇに用いることができる。具体的には、カラーレジストを用いることができる。
【０１３１】なお、本実施の形態は、本明細書で示す他の実施の形態と適宜組み合わせることができる。
【０１３２】（実施の形態２）
本実施の形態では、本発明の一態様の表示パネルの構成について、図１および図１０を参照しながら説明する。
【０１３３】図１０は、本発明の一態様の表示パネルの構成を説明する図である。
【０１３４】＜表示パネルの構成例４．＞
本実施の形態で説明する表示パネル７００は、表示領域２３１を有する（図１０参照）。
【０１３５】《表示領域の構成例１．》
表示領域２３１は、一群の複数の画素７０２（ｉ，１）乃至画素７０２（ｉ，ｎ）と、他の一群の複数の画素７０２（１，ｊ）乃至画素７０２（ｍ，ｊ）と、走査線Ｇ２（ｉ）と、信号線Ｓ２（ｉ）と、を有する（図１０参照）。なお、ｉは１以上ｍ以下の整数であり、ｊは１以上ｎ以下の整数であり、ｍおよびｎは１以上の整数である。
【０１３６】また、図示しないが、表示領域２３１は、導電膜ＶＣＯＭ２と、導電膜ＡＮＯとを有する。
【０１３７】一群の複数の画素７０２（ｉ，１）乃至画素７０２（ｉ，ｎ）は画素７０２（ｉ，ｊ）を含み、一群の複数の画素７０２（ｉ，１）乃至画素７０２（ｉ，ｎ）は行方向（図中に矢印Ｒ１で示す方向）に配設される。
【０１３８】他の一群の複数の画素７０２（１，ｊ）乃至画素７０２（ｍ，ｊ）は画素７０２（ｉ，ｊ）を含み、他の一群の複数の画素７０２（１，ｊ）乃至画素７０２（ｍ，ｊ）は行方向と交差する列方向（図中に矢印Ｃ１で示す方向）に配設される。
【０１３９】走査線Ｇ２（ｉ）は、行方向に配設される一群の複数の画素７０２（ｉ，１）乃至画素７０２（ｉ，ｎ）と電気的に接続される。
【０１４０】信号線Ｓ２（ｊ）は、列方向に配設される他の一群の複数の画素７０２（１，ｊ）乃至画素７０２（ｍ，ｊ）と電気的に接続される。
【０１４１】これにより、複数の画素に画像情報を供給することができる。その結果、利便性または信頼性に優れた新規な表示パネルを提供することができる。
【０１４２】表示領域２３１は、１インチあたり６００個以上の画素を備える。
【０１４３】これにより、画素の精細度を保ちつつ、開口率を大きくすることができる。または、開口率を保ちつつ、画素の精細度を高めることができる。その結果、利便性または信頼性に優れた新規な表示パネルを提供することができる。
【０１４４】《表示領域の構成例２．》
表示領域２３１は７６００個以上の画素を行方向に備え、表示領域２３１は４３００個以上の画素を列方向に備える。例えば、７６８０個の画素を行方向に備え、４３２０個の画素を列方向に備える。
【０１４５】＜表示パネルの構成例５．＞
本実施の形態で説明する表示パネル７００は、複数の画素を備える。当該複数の画素は、色相が互いに異なる色を表示する機能を備える。または、当該複数の画素を用いて、各々その画素では表示できない色相の色を、加法混色により表示することができる。
【０１４６】《画素の構成例２．》
なお、色相が異なる色を表示することができる複数の画素を混色に用いる場合において、それぞれの画素を副画素と言い換えることができる。また、複数の副画素を一組にして、画素と言い換えることができる。
【０１４７】例えば、画素７０２（ｉ，ｊ）を副画素と言い換えることができ、画素７０２（ｉ，ｊ）、画素７０２（ｉ，ｊ＋１）および画素７０２（ｉ，ｊ＋２）を一組にして、画素７０３（ｉ，ｋ）と言い換えることができる（図１（Ｃ）参照）。
【０１４８】具体的には、青色を表示する副画素、緑色を表示する副画素および赤色を表示する副画素を一組にして、画素７０３（ｉ，ｋ）に用いることができる。また、シアンを表示する副画素、マゼンタを表示する副画素およびイエローを表示する副画素を一組にして、画素７０３（ｉ，ｋ）に用いることができる。
【０１４９】また、例えば、白色等を表示する副画素を上記の一組に加えて、画素に用いることができる。
【０１５０】＜表示パネルの構成例６．＞
表示領域２３１は、画素７０２（ｉ，ｊ）、画素７０２（ｉ，ｊ＋１）および画素７０２（ｉ，ｊ＋２）を備える（図１（Ｃ）参照）。
【０１５１】画素７０２（ｉ，ｊ）は、ＣＩＥ１９３１色度座標における色度ｘが０．６８０より大きく０．７２０以下、色度ｙが０．２６０以上０．３２０以下の色を表示する。
【０１５２】画素７０２（ｉ，ｊ＋１）は、ＣＩＥ１９３１色度座標における色度ｘが０．１３０以上０．２５０以下、色度ｙが０．７１０より大きく０．８１０以下の色を表示する。
【０１５３】画素７０２（ｉ，ｊ＋２）は、ＣＩＥ１９３１色度座標における色度ｘが０．１２０以上０．１７０以下、色度ｙが０．０２０以上０．０６０未満の色を表示する。
【０１５４】また、画素７０２（ｉ，ｊ）、画素７０２（ｉ，ｊ＋１）および画素７０２（ｉ，ｊ＋２）を、ＣＩＥ色度図（ｘ，ｙ）におけるＢＴ．２０２０の色域に対する面積比が８０％以上、または、該色域に対するカバー率が７５％以上になるように備える。好ましくは、面積比が９０％以上、または、カバー率が８５％以上になるように備える。
【０１５５】＜表示パネルの構成例７．＞
また、本実施の形態で説明する表示パネル７００は、複数の駆動回路を備えることができる。例えば、駆動回路ＧＤＡ、駆動回路ＧＤＢまたは駆動回路ＳＤを備えることができる（図１０参照）。
【０１５６】《駆動回路ＧＤＡ、駆動回路ＧＤＢ》
駆動回路ＧＤＡおよび駆動回路ＧＤＢは、制御情報に基づいて選択信号を供給する機能を有する。
【０１５７】一例を挙げれば、制御情報に基づいて、３０Ｈｚ以上、好ましくは６０Ｈｚ以上の頻度で一の走査線に選択信号を供給する機能を備える。これにより、動画像をなめらかに表示することができる。
【０１５８】例えば、制御情報に基づいて、３０Ｈｚ未満、好ましくは１Ｈｚ未満、より好ましくは一分に一回未満の頻度で一の走査線に選択信号を供給する機能を備える。これにより、フリッカーが抑制された状態で静止画像を表示することができる。
【０１５９】複数の駆動回路を備える場合、例えば、駆動回路ＧＤＡが選択信号を供給する頻度と、駆動回路ＧＤＢが選択信号を供給する頻度とを、異ならせることができる。具体的には、静止画像を表示する一の領域に選択信号を供給する頻度より高い頻度で、動画像を表示する他の領域に選択信号を供給することができる。これにより、一の領域にフリッカーが抑制された状態で静止画像を表示し、他の領域に滑らかに動画像を表示することができる。
【０１６０】《駆動回路ＳＤ》
駆動回路ＳＤは、駆動回路ＳＤを有する。駆動回路ＳＤは、情報Ｖ１１に基づいて画像信号を供給する機能を有する（図１０参照）。
【０１６１】駆動回路ＳＤは、画像信号を生成する機能と、当該画像信号を一の表示素子と電気的に接続される画素回路に供給する機能を備える。
【０１６２】例えば、シフトレジスタ等のさまざまな順序回路等を駆動回路ＳＤに用いることができる。
【０１６３】例えば、シリコン基板上に形成された集積回路を駆動回路ＳＤに用いることができる。
【０１６４】例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子に実装することができる。具体的には、異方性導電膜を用いて、集積回路を端子に実装することができる。
【０１６５】なお、本実施の形態は、本明細書で示す他の実施の形態と適宜組み合わせることができる。
【０１６６】（実施の形態３）
本実施の形態では、本発明の一態様の表示装置の構成について、図１１を参照しながら説明する。
【０１６７】図１１は本発明の一態様の表示装置の構成を説明する図である。図１１（Ａ）は本発明の一態様の表示装置のブロック図であり、図１１（Ｂ−１）乃至図１１（Ｂ−３）は本発明の一態様の表示装置の外観を説明する投影図である。
【０１６８】＜表示装置の構成例１．＞
本実施の形態で説明する表示装置は、制御部２３８と、表示パネル７００Ｂと、を有する。
【０１６９】《制御部２３８》
制御部２３８は、画像情報Ｖ１を供給される。
【０１７０】制御部２３８は、画像情報Ｖ１に基づいて情報Ｖ１１を生成する。例えば、情報Ｖ１１は、８ｂｉｔ以上好ましくは１２ｂｉｔ以上の階調を含む。
【０１７１】具体的には、制御部２３８は、制御回路２３３、伸張回路２３４および画像処理回路２３５を備える。
【０１７２】《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０１７３】《画像処理回路２３５》
画像処理回路２３５は、例えば、記憶領域を備える。記憶領域は、例えば、画像情報Ｖ１に含まれる情報を記憶する機能を備える。
【０１７４】画像処理回路２３５は、例えば、所定の特性曲線に基づいて画像情報Ｖ１を補正して情報Ｖ１１を生成する機能と、情報Ｖ１１を供給する機能を備える。
【０１７５】《制御回路２３３》
制御回路２３３は、制御信号ＳＳを供給する機能を備える。例えば、クロック信号またはタイミング信号などを制御信号ＳＳに用いることができる。これにより、複数の駆動回路を同期して動作することができる。例えば、タイミングコントローラを制御回路２３３に用いることができる。
【０１７６】なお、制御回路２３３を表示パネルに含めることもできる。例えば、リジッド基板に実装された制御回路２３３を、フレキシブルプリント基板を用いて駆動回路と電気的に接続して、表示パネルに用いることができる。
【０１７７】《表示パネル７００Ｂ》
例えば、実施の形態１または実施の形態２において説明する表示パネルを表示パネル７００Ｂに用いることができる。
【０１７８】表示パネル７００Ｂは、情報Ｖ１１を供給される。また、表示パネル７００Ｂは、画素７０２（ｉ，ｊ）を備える。例えば、走査線Ｇ１（ｉ）は、６０Ｈｚ以上、好ましくは１２０Ｈｚ以上の頻度で選択信号を供給される。
【０１７９】例えば、駆動回路ＧＤＡ（１）、駆動回路ＧＤＢ（１）、駆動回路ＧＤＡ（２）および駆動回路ＧＤＢ（２）は、制御信号ＳＳに基づいて選択信号を供給する機能を備える。
【０１８０】画素７０２（ｉ，ｊ）は、表示素子を備える。表示素子は、情報Ｖ１１に基づいて表示する機能を備える。
【０１８１】例えば、駆動回路ＳＤＡ（１）、駆動回路ＳＤＢ（１）、駆動回路ＳＤＣ（１）、駆動回路ＳＤＡ（２）、駆動回路ＳＤＢ（２）および駆動回路ＳＤＣ（２）は制御信号ＳＳを供給され、情報Ｖ１１を供給する。
【０１８２】例えば、発光素子を、表示素子に用いることができる。具体的には、有機ＥＬ素子を表示素子に用いることができる。
【０１８３】これにより、表示素子を用いて画像情報を表示することができる。その結果、利便性または信頼性に優れた新規な表示装置を提供することができる。または、例えば、テレビジョン受像システム（図１１（Ｂ−１）参照）、映像モニター（図１１（Ｂ−２）参照）またはノートブックコンピュータ（図１１（Ｂ−３）参照）などを提供することができる。
【０１８４】なお、本実施の形態は、本明細書で示す他の実施の形態と適宜組み合わせることができる。
【０１８５】（実施の形態４）
本実施の形態では、本発明の一態様の入出力装置の構成について、図１２を参照しながら説明する。
【０１８６】図１２は本発明の一態様の入出力装置の構成を説明するブロック図である。
【０１８７】＜入出力装置の構成例＞
本実施の形態で説明する入出力装置は、入力部２４０と、表示部２３０と、を有する（図１２参照）。
【０１８８】《表示部２３０》
例えば、実施の形態１または実施の形態２に記載の表示パネル７００を表示部２３０に用いることができる。なお、入力部２４０および表示部２３０を有する構成を入出力パネル７００ＴＰということができる。
【０１８９】入力部２４０は検知領域２４１を備える。入力部２４０は検知領域２４１に近接するものを検知する機能を備える。
【０１９０】検知領域２４１は、画素７０２（ｉ，ｊ）と重なる領域を備える。
【０１９１】《入力部２４０》
入力部２４０は検知領域２４１を備える。入力部２４０は発振回路ＯＳＣおよび検知回路ＤＣを備えることができる（図１２参照）。
【０１９２】《検知領域２４１》
検知領域２４１は、例えば、単数または複数の検知素子を備える。
【０１９３】検知領域２４１は、一群の検知素子７７５（ｇ，１）乃至検知素子７７５（ｇ，ｑ）と、他の一群の検知素子７７５（１，ｈ）乃至検知素子７７５（ｐ，ｈ）と、を有する。なお、ｇは１以上ｐ以下の整数であり、ｈは１以上ｑ以下の整数であり、ｐおよびｑは１以上の整数である。
【０１９４】一群の検知素子７７５（ｇ，１）乃至検知素子７７５（ｇ，ｑ）は、検知素子７７５（ｇ，ｈ）を含み、行方向（図中に矢印Ｒ２で示す方向）に配設される。なお、矢印Ｒ２で示す方向は、矢印Ｒ１で示す方向と同じであっても良いし、異なっていてもよい。
【０１９５】また、他の一群の検知素子７７５（１，ｈ）乃至検知素子７７５（ｐ，ｈ）は、検知素子７７５（ｇ，ｈ）を含み、行方向と交差する列方向（図中に矢印Ｃ２で示す方向）に配設される。
【０１９６】《検知素子》
検知素子は近接するポインタを検知する機能を備える。例えば、指やスタイラスペン等をポインタに用いることができる。例えば、金属片またはコイル等を、スタイラスペンに用いることができる。
【０１９７】具体的には、静電容量方式の近接センサ、電磁誘導方式の近接センサ、光学方式の近接センサ、抵抗膜方式の近接センサなどを、検知素子に用いることができる。
【０１９８】また、複数の方式の検知素子を併用することもできる。例えば、指を検知する検知素子と、スタイラスペンを検知する検知素子とを、併用することができる。
【０１９９】これにより、ポインタの種類を判別することができる。または、判別したポインタの種類に基づいて、異なる命令を検知情報に関連付けることができる。具体的には、ポインタに指を用いたと判別した場合は、検知情報をジェスチャーと関連付けることができる。または、ポインタにスタイラスペンを用いたと判別した場合は、検知情報を描画処理と関連付けることができる。
【０２００】具体的には、静電容量方式または光学方式の近接センサを用いて、指を検知することができる。または、電磁誘導方式または光学方式の近接センサを用いて、スタイラスペンを検知することができる。
【０２０１】なお、本実施の形態は、本明細書で示す他の実施の形態と適宜組み合わせることができる。
【０２０２】（実施の形態５）
本実施の形態では、本発明の一態様の情報処理装置の構成について、図１３乃至図１５を参照しながら説明する。
【０２０３】図１３（Ａ）は本発明の一態様の情報処理装置の構成を説明するブロック図である。図１３（Ｂ）および図１３（Ｃ）は、情報処理装置２００の外観の一例を説明する投影図である。
【０２０４】図１４は、本発明の一態様のプログラムを説明するフローチャートである。図１４（Ａ）は、本発明の一態様のプログラムの主の処理を説明するフローチャートであり、図１４（Ｂ）は、割り込み処理を説明するフローチャートである。
【０２０５】図１５は、本発明の一態様のプログラムを説明する図である。図１５（Ａ）は、本発明の一態様のプログラムの割り込み処理を説明するフローチャートである。また、図１５（Ｂ）は、情報処理装置の操作を説明する模式図であり、図１５（Ｃ）は、本発明の一態様の情報処理装置の動作を説明するタイミングチャートである。
【０２０６】＜情報処理装置の構成例１．＞
本実施の形態で説明する情報処理装置２００は、入出力装置２２０と、演算装置２１０と、を有する（図１３（Ａ）参照）。入出力装置は、演算装置２１０と電気的に接続される。また、情報処理装置２００は筐体を備えることができる（図１３（Ｂ）または図１３（Ｃ）参照）。
【０２０７】入出力装置２２０は表示部２３０および入力部２４０を備える（図１３（Ａ）参照）。入出力装置２２０は検知部２５０を備える。また、入出力装置２２０は通信部２９０を備えることができる。
【０２０８】入出力装置２２０は画像情報Ｖ１または制御情報ＣＩを供給される機能を備え、位置情報Ｐ１または検知情報ＤＳを供給する機能を備える。
【０２０９】演算装置２１０は位置情報Ｐ１または検知情報ＤＳを供給させる機能を備える。演算装置２１０は画像情報Ｖ１を供給する機能を備える。演算装置２１０は、例えば、位置情報Ｐ１または検知情報ＤＳに基づいて動作する機能を備える。
【０２１０】なお、筐体は入出力装置２２０または演算装置２１０を収納する機能を備える。または、筐体は表示部２３０または演算装置２１０を支持する機能を備える。
【０２１１】表示部２３０は画像情報Ｖ１に基づいて画像を表示する機能を備える。表示部２３０は制御情報ＣＩに基づいて画像を表示する機能を備える。
【０２１２】入力部２４０は、位置情報Ｐ１を供給する機能を備える。
【０２１３】検知部２５０は検知情報ＤＳを供給する機能を備える。検知部２５０は、例えば、情報処理装置２００が使用される環境の照度を検出する機能を備え、照度情報を供給する機能を備える。
【０２１４】これにより、情報処理装置は、情報処理装置が使用される環境において、情報処理装置の筐体が受ける光の強さを把握して動作することができる。または、情報処理装置の使用者は、表示方法を選択することができる。その結果、利便性または信頼性に優れた新規な情報処理装置を提供することができる。
【０２１５】以下に、情報処理装置を構成する個々の要素について説明する。なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０２１６】《構成例》
本発明の一態様の情報処理装置２００は、筐体または演算装置２１０を有する。
【０２１７】演算装置２１０は、演算部２１１、記憶部２１２、伝送路２１４、入出力インターフェース２１５を備える。
【０２１８】また、本発明の一態様の情報処理装置は、入出力装置２２０を有する。
【０２１９】入出力装置２２０は、表示部２３０、入力部２４０、検知部２５０および通信部２９０を備える。
【０２２０】《情報処理装置》
本発明の一態様の情報処理装置は、演算装置２１０または入出力装置２２０を備える。
【０２２１】《演算装置２１０》
演算装置２１０は、演算部２１１および記憶部２１２を備える。また、伝送路２１４および入出力インターフェース２１５を備える。
【０２２２】《演算部２１１》
演算部２１１は、例えばプログラムを実行する機能を備える。
【０２２３】《記憶部２１２》
記憶部２１２は、例えば演算部２１１が実行するプログラム、初期情報、設定情報または画像等を記憶する機能を有する。
【０２２４】具体的には、ハードディスク、フラッシュメモリまたは酸化物半導体を含むトランジスタを用いたメモリ等を用いることができる。
【０２２５】《入出力インターフェース２１５、伝送路２１４》
入出力インターフェース２１５は端子または配線を備え、情報を供給し、情報を供給される機能を備える。例えば、伝送路２１４と電気的に接続することができる。また、入出力装置２２０と電気的に接続することができる。
【０２２６】伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０２２７】《入出力装置２２０》
入出力装置２２０は、表示部２３０、入力部２４０、検知部２５０または通信部２９０を備える。例えば、実施の形態４において説明する入出力装置を用いることができる。これにより、消費電力を低減することができる。
【０２２８】《表示部２３０》
表示部２３０は、制御部２３８と、駆動回路ＧＤと、駆動回路ＳＤと、表示パネル７００と、を有する（図１１（Ａ）参照）。例えば、実施の形態３において説明する表示装置を表示部２３０に用いることができる。
【０２２９】《入力部２４０》
さまざまなヒューマンインターフェイス等を入力部２４０に用いることができる（図１３参照）。
【０２３０】例えば、キーボード、マウス、タッチセンサ、マイクまたはカメラ等を入力部２４０に用いることができる。なお、表示部２３０に重なる領域を備えるタッチセンサを用いることができる。表示部２３０と表示部２３０に重なる領域を備えるタッチセンサを備える入出力装置を、タッチパネルまたはタッチスクリーンということができる。
【０２３１】例えば、使用者は、タッチパネルに触れた指をポインタに用いて様々なジェスチャー（タップ、ドラッグ、スワイプまたはピンチイン等）をすることができる。
【０２３２】例えば、演算装置２１０は、タッチパネルに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０２３３】一例を挙げれば、使用者は、画像情報の表示位置を変更する「スクロール命令」を、タッチパネルに沿ってタッチパネルに接触する指を移動するジェスチャーを用いて供給できる。
【０２３４】《検知部２５０》
検知部２５０は、周囲の状態を検知して検知情報を供給する機能を備える。具体的には、照度情報、姿勢情報、圧力情報、位置情報等を供給できる。
【０２３５】例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部２５０に用いることができる。
【０２３６】《通信部２９０》
通信部２９０は、ネットワークに情報を供給し、ネットワークから情報を取得する機能を備える。
【０２３７】《プログラム》
本発明の一態様のプログラムは、下記のステップを有する（図１４（Ａ）参照）。
【０２３８】［第１のステップ］
第１のステップにおいて、設定を初期化する（図１４（Ａ）（Ｓ１）参照）。
【０２３９】例えば、起動時に表示する所定の画像情報と、当該画像情報を表示する所定のモードと、当該画像情報を表示する所定の表示方法を特定する情報と、を記憶部２１２から取得する。具体的には、一の静止画像情報または他の動画像情報を所定の画像情報に用いることができる。また、第１のモードまたは第２のモードを所定のモードに用いることができる。
【０２４０】［第２のステップ］
第２のステップにおいて、割り込み処理を許可する（図１４（Ａ）（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０２４１】なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０２４２】［第３のステップ］
第３のステップにおいて、第１のステップまたは割り込み処理において選択された、所定のモードまたは所定の表示方法を用いて画像情報を表示する（図１４（Ａ）（Ｓ３）参照）。なお、所定のモードは情報を表示するモードを特定し、所定の表示方法は画像情報を表示する方法を特定する。また、例えば、画像情報Ｖ１を表示する情報に用いることができる。
【０２４３】例えば、画像情報Ｖ１を表示する一の方法を、第１のモードに関連付けることができる。または、画像情報Ｖ１を表示する他の方法を第２のモードに関連付けることができる。これにより、選択されたモードに基づいて表示方法を選択することができる。
【０２４４】《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０２４５】例えば、３０Ｈｚ以上、好ましくは６０Ｈｚ以上の頻度で選択信号を供給すると、動画像の動きを滑らかに表示することができる。
【０２４６】例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０２４７】《第２のモード》
具体的には、３０Ｈｚ未満、好ましくは１Ｈｚ未満、より好ましくは一分に一回未満の頻度で一の走査線に選択信号を供給し、選択信号に基づいて表示をする方法を、第２のモードに関連付けることができる。
【０２４８】３０Ｈｚ未満、好ましくは１Ｈｚ未満、より好ましくは一分に一回未満の頻度で選択信号を供給すると、フリッカーまたはちらつきが抑制された表示をすることができる。また、消費電力を低減することができる。
【０２４９】例えば、情報処理装置２００を時計に用いる場合、１秒に一回の頻度または１分に一回の頻度等で表示を更新することができる。
【０２５０】ところで、例えば、発光素子を表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０２５１】［第４のステップ］
第４のステップにおいて、終了命令が供給された場合は第５のステップに進み、終了命令が供給されなかった場合は第３のステップに進むように選択する（図１４（Ａ）（Ｓ４）参照）。
【０２５２】例えば、割り込み処理において供給された終了命令を判断に用いてもよい。
【０２５３】［第５のステップ］
第５のステップにおいて、終了する（図１４（Ａ）（Ｓ５）参照）。
【０２５４】《割り込み処理》
割り込み処理は以下の第６のステップ乃至第８のステップを備える（図１４（Ｂ）参照）。
【０２５５】［第６のステップ］
第６のステップにおいて、例えば、検知部２５０を用いて、情報処理装置２００が使用される環境の照度を検出する（図１４（Ｂ）（Ｓ６）参照）。なお、環境の照度に代えて環境光の色温度や色度を検出してもよい。
【０２５６】［第７のステップ］
第７のステップにおいて、検出した照度情報に基づいて表示方法を決定する（図１４（Ｂ）（Ｓ７）参照）。例えば、表示の明るさを暗すぎないように、または明るすぎないように決定する。
【０２５７】なお、第６のステップにおいて環境光の色温度や環境光の色度を検出した場合は、表示の色味を調節してもよい。
【０２５８】［第８のステップ］
第８のステップにおいて、割り込み処理を終了する（図１４（Ｂ）（Ｓ８）参照）。
【０２５９】＜情報処理装置の構成例２．＞
本発明の一態様の情報処理装置の別の構成について、図１５を参照しながら説明する。
【０２６０】図１５（Ａ）は、本発明の一態様のプログラムを説明するフローチャートである。図１５（Ａ）は、図１４（Ｂ）に示す割り込み処理とは異なる割り込み処理を説明するフローチャートである。
【０２６１】なお、情報処理装置の構成例３は、供給された所定のイベントに基づいて、モードを変更するステップを割り込み処理に有する点が、図１４（Ｂ）を参照しながら説明する割り込み処理とは異なる。ここでは、異なる部分について詳細に説明し、同様の構成を用いることができる部分について上記の説明を援用する。
【０２６２】《割り込み処理》
割り込み処理は以下の第６のステップ乃至第８のステップを備える（図１５（Ａ）参照）。
【０２６３】［第６のステップ］
第６のステップにおいて、所定のイベントが供給された場合は、第７のステップに進み、所定のイベントが供給されなかった場合は、第８のステップに進む（図１５（Ａ）（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０２６４】［第７のステップ］
第７のステップにおいて、モードを変更する（図１５（Ａ）（Ｕ７）参照）。具体的には、第１のモードを選択していた場合は、第２のモードを選択し、第２のモードを選択していた場合は、第１のモードを選択する。
【０２６５】例えば、表示部２３０の一部の領域について、表示モードを変更することができる。具体的には、駆動回路ＧＤＡ、駆動回路ＧＤＢおよび駆動回路ＧＤＣを備える表示部２３０の一の駆動回路が選択信号を供給する領域について、表示モードを変更することができる（図１５（Ｂ）参照）。
【０２６６】例えば、駆動回路ＧＤＢが選択信号を供給する領域と重なる領域にある入力部２４０に、所定のイベントが供給された場合に、駆動回路ＧＤＢが選択信号を供給する領域の表示モードを変更することができる（図１５（Ｂ）および図１５（Ｃ）参照）。具体的には、指等を用いてタッチパネルに供給する「タップ」イベントに応じて、駆動回路ＧＤＢが供給する選択信号の頻度を変更することができる。
【０２６７】なお、信号ＧＣＬＫは駆動回路ＧＤＢの動作を制御するクロック信号であり、信号ＰＷＣ１および信号ＰＷＣ２は駆動回路ＧＤＢの動作を制御するパルス幅制御信号である。駆動回路ＧＤＢは、信号ＧＣＬＫ、信号ＰＷＣ１および信号ＰＷＣ２等に基づいて、選択信号を走査線Ｇ２（ｍ＋１）乃至走査線Ｇ２（２ｍ）に供給する。
【０２６８】これにより、例えば、駆動回路ＧＤＡおよび駆動回路ＧＤＣが選択信号を供給することなく、駆動回路ＧＤＢが選択信号を供給することができる。または、駆動回路ＧＤＡおよび駆動回路ＧＤＣが選択信号を供給する領域の表示を変えることなく、駆動回路ＧＤＢが選択信号を供給する領域の表示を更新することができる。または、駆動回路が消費する電力を抑制することができる。
【０２６９】［第８のステップ］
第８のステップにおいて、割り込み処理を終了する（図１５（Ａ）（Ｕ８）参照）。なお、主の処理を実行している期間に割り込み処理を繰り返し実行してもよい。
【０２７０】《所定のイベント》
例えば、マウス等のポインティング装置を用いて供給する、「クリック」や「ドラッグ」等のイベント、指等をポインタに用いてタッチパネルに供給する、「タップ」、「ドラッグ」または「スワイプ」等のイベントを用いることができる。
【０２７１】また、例えば、ポインタが指し示すスライドバーの位置、スワイプの速度、ドラッグの速度等を用いて、所定のイベントに関連付けられた命令の引数を与えることができる。
【０２７２】例えば、検知部２５０が検知した情報をあらかじめ設定された閾値と比較して、比較結果をイベントに用いることができる。
【０２７３】具体的には、筐体に押し込むことができるように配設されたボタン等に接する感圧検知器等を検知部２５０に用いることができる。
【０２７４】《所定のイベントに関連付ける命令》
例えば、終了命令を、特定のイベントに関連付けることができる。
【０２７５】例えば、表示されている一の画像情報から他の画像情報に表示を切り替える「ページめくり命令」を、所定のイベントに関連付けることができる。なお、「ページめくり命令」を実行する際に用いるページをめくる速度などを決定する引数を、所定のイベントを用いて与えることができる。
【０２７６】例えば、一の画像情報の表示されている一部分の表示位置を移動して、一部分に連続する他の部分を表示する「スクロール命令」などを、所定のイベントに関連付けることができる。なお、「スクロール命令」を実行する際に用いる表示を移動する速度などを決定する引数を、所定のイベントを用いて与えることができる。
【０２７７】例えば、表示方法を設定する命令または画像情報を生成する命令などを、所定のイベントに関連付けることができる。なお、生成する画像の明るさを決定する引数を所定のイベントに関連付けることができる。また、生成する画像の明るさを決定する引数を、検知部２５０が検知する環境の明るさに基づいて決定してもよい。
【０２７８】例えば、プッシュ型のサービスを用いて配信される情報を、通信部２９０を用いて取得する命令などを、所定のイベントに関連付けることができる。
【０２７９】なお、情報を取得する資格の有無を、検知部２５０が検知する位置情報を用いて判断してもよい。具体的には、所定の教室、学校、会議室、企業、建物等の内部または領域にいる場合に、情報を取得する資格を有すると判断してもよい。これにより、例えば、学校または大学等の教室で配信される教材を受信して、情報処理装置２００を教科書等に用いることができる（図１３（Ｃ）参照）。または、企業等の会議室で配信される資料を受信して、会議資料に用いることができる。
【０２８０】なお、本実施の形態は、本明細書で示す他の実施の形態と適宜組み合わせることができる。
【０２８１】（実施の形態６）
本実施の形態では、本発明の一態様の情報処理装置の構成について、図１６および図１７を参照しながら説明する。
【０２８２】図１６および図１７は、本発明の一態様の情報処理装置の構成を説明する図である。図１６（Ａ）は情報処理装置のブロック図であり、図１６（Ｂ）乃至図１６（Ｅ）は情報処理装置の構成を説明する斜視図である。また、図１７（Ａ）乃至図１７（Ｅ）は情報処理装置の構成を説明する斜視図である。
【０２８３】＜情報処理装置＞
本実施の形態で説明する情報処理装置５２００Ｂは、演算装置５２１０と、入出力装置５２２０とを、有する（図１６（Ａ）参照）。
【０２８４】演算装置５２１０は、操作情報を供給される機能を備え、操作情報に基づいて画像情報を供給する機能を備える。
【０２８５】入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０２８６】入力部５２４０は操作情報を供給する機能を備える。例えば、入力部５２４０は、情報処理装置５２００Ｂの使用者の操作に基づいて操作情報を供給する。
【０２８７】具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０２８８】表示部５２３０は表示パネルおよび画像情報を表示する機能を備える。例えば、実施の形態１または実施の形態２において説明する表示パネルを表示部５２３０に用いることができる。
【０２８９】検知部５２５０は検知情報を供給する機能を備える。例えば、情報処理装置が使用されている周辺の環境を検知して、検知情報として供給する機能を備える。
【０２９０】具体的には、照度センサ、撮像装置、姿勢検出装置、圧力センサ、人感センサなどを検知部５２５０に用いることができる。
【０２９１】通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０２９２】《情報処理装置の構成例１．》
例えば、円筒状の柱などに沿った外形を表示部５２３０に適用することができる（図１６（Ｂ）参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０２９３】《情報処理装置の構成例２．》
例えば、使用者が使用するポインタの軌跡に基づいて画像情報を生成する機能を備える（図１６（Ｃ）参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０２９４】《情報処理装置の構成例３．》
例えば、使用環境の照度に応じて、表示方法を変更する機能を備える（図１６（Ｄ）参照）。これにより、例えば、スマートウオッチの消費電力を低減することができる。または、例えば、晴天の屋外等の外光の強い環境においても好適に使用できるように、画像をスマートウオッチに表示することができる。
【０２９５】《情報処理装置の構成例４．》
表示部５２３０は、例えば、筐体の側面に沿って緩やかに曲がる曲面を備える（図１６（Ｅ）参照）。または、表示部５２３０は表示パネルを備え、表示パネルは、例えば、前面、側面および上面に表示する機能を備える。これにより、例えば、携帯電話の前面だけでなく、側面および上面に画像情報を表示することができる。
【０２９６】《情報処理装置の構成例５．》
例えば、使用環境の照度に応じて、表示方法を変更する機能を備える（図１７（Ａ）参照）。これにより、スマートフォンの消費電力を低減することができる。または、例えば、晴天の屋外等の外光の強い環境においても好適に使用できるように、画像をスマートフォンに表示することができる。
【０２９７】《情報処理装置の構成例６．》
例えば、使用環境の照度に応じて、表示方法を変更する機能を備える（図１７（Ｂ）参照）。これにより、晴天の日に屋内に差し込む強い外光が当たっても好適に使用できるように、映像をテレビジョンシステムに表示することができる。
【０２９８】《情報処理装置の構成例７．》
例えば、使用環境の照度に応じて、表示方法を変更する機能を備える（図１７（Ｃ）参照）。これにより、例えば、晴天の屋外等の外光の強い環境においても好適に使用できるように、画像をタブレットコンピュータに表示することができる。
【０２９９】《情報処理装置の構成例８．》
例えば、使用環境の照度に応じて、表示方法を変更する機能を備える（図１７（Ｄ）参照）。これにより、例えば、晴天の屋外等の外光の強い環境においても好適に閲覧できるように、被写体をデジタルカメラに表示することができる。
【０３００】《情報処理装置の構成例９．》
例えば、使用環境の照度に応じて、表示方法を変更する機能を備える（図１７（Ｅ）参照）。これにより、例えば、晴天の屋外等の外光の強い環境においても好適に使用できるように、画像をパーソナルコンピュータに表示することができる。
【０３０１】なお、本実施の形態は、本明細書で示す他の実施の形態と適宜組み合わせることができる。
【０３０２】例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【０３０３】ここで、Ｘ、Ｙは、対象物（例えば、装置、素子、回路、配線、電極、端子、導電膜、層、など）であるとする。
【０３０４】ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０３０５】ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０３０６】ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０３０７】なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０３０８】なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０３０９】例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０３１０】または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０３１１】なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０３１２】なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【実施例１】
【０３１３】本実施例では、本発明の一態様の表示パネルに用いることができる着色膜を作製した結果を、図１８を参照しながら説明する。【０３１４】図１８は、作製した着色膜の電子顕微鏡写真である。【０３１５】＜着色膜の作製方法＞
ガラス基板上に形成された１００ｎｍの窒化シリコン膜上に１．５μｍの着色膜を形成し、着色膜上に３μｍのレジストを形成した。ドライエッチング法を用いて着色膜に開口部を形成し、レジストを除去した。【０３１６】なお、エッチングガスにＣＦ４＋Ｏ２を用いた場合の着色膜の形状を、エッチングガスにＯ２を用いた場合の着色膜の形状と比較した。また、着色膜に含まれる着色材料が着色膜の形状に及ぼす影響を比較した。【０３１７】なお、２４０ｓｃｃｍの流量のＣＦ４ガスを１６０ｓｃｃｍの流量のＯ２ガスと混合してエッチングガスに用いる場合は、圧力を０．８Ｐａ、電源出力を７ＫＷにして、ドライエッチングを行った。または、９００ｓｃｃｍの流量のＯ２ガスをエッチングガスに用いる場合は、圧力を６０Ｐａ、電源出力を６ＫＷにして、ドライエッチングを行った。【０３１８】＜着色膜の構成＞
着色膜５２１Ｇは緑色の着色材料を含み、開口部５２２Ａ（ｉ，ｊ＋１）および開口部５２２Ｃ（ｉ，ｊ＋１）を備える。【０３１９】着色膜５２１Ｒは赤色の着色材料を含み、開口部５２２Ａ（ｉ，ｊ＋１）および開口部５２２Ｃ（ｉ，ｊ＋１）を備える。【０３２０】着色膜５２１Ｂは青色の着色材料を含み、開口部５２２Ａ（ｉ，ｊ＋１）および開口部５２２Ｃ（ｉ，ｊ＋１）を備える。【０３２１】＜評価＞
エッチングガスにＣＦ４＋Ｏ２を用いて作製した着色膜の外観を、ＣＦ４＋Ｏ２と記した上段の行に示す（図１８参照）。また、エッチングガスにＯ２を用いて作製した着色膜の外観を、Ｏ２と記した下段の行に示す。なお、着色膜の観察には走査型電子顕微鏡を用いた。【０３２２】緑色の着色材料を含む着色膜５２１Ｇの外観を左の列に示す。赤色の着色材料を含む着色膜５２１Ｒの外観を中央の列に示す。また、青色の着色材料を含む着色膜５２１Ｂの外観を右の列に示す。【０３２３】開口部５２２Ａ（ｉ，ｊ＋１）および開口部５２２Ｃ（ｉ，ｊ＋１）を備える着色膜５２１Ｒを形成することができた。【０３２４】ドライエッチング法は、微細な開口部を着色膜に形成する方法に好適であった。赤色の材料を含む着色膜５２１Ｒの開口部に認められるエッチング工程に伴う残渣は、他の色の材料を含む着色膜に比べて少なかった。また、赤色の材料を含む着色膜５２１Ｒの開口部の形状は、良好であった。なお、緑色の材料および青色の材料は銅を含み、赤色の材料は銅を含まない。
【実施例２】
【０３２５】本実施例では、本発明の一態様の表示パネルを作製した結果を、図１９を参照しながら説明する。【０３２６】図１９（Ａ）は、作製した表示パネルの表示状態を説明する光学顕微鏡写真である。【０３２７】＜表示パネルの構成＞
実施の形態１に記した表示パネルの構成例３で説明する構成を備える表示パネルを作製した（図５および表１参照）。【０３２８】作製した本発明の一態様の表示パネルは、表示領域、ゲートドライバおよびソースドライバを有する（表１参照）。なお、ゲートドライバを駆動回路ＧＤと、ソースドライバを駆動回路ＳＤということができる。【０３２９】《表示領域の構成》
表示領域は１３．３インチの長さを対角に備える。表示領域は７６８０個の画素を行方向に備え、４３２０個の画素を列方向に備える。表示領域は列方向に延びる複数の信号線を備える。【０３３０】《画素の構成》
画素は、赤色を表示する副画素、緑色を表示する副画素および青色を表示する副画素を行方向に備える。【０３３１】列方向に並ぶ複数の副画素は、一の信号線と電気的に接続される。【０３３２】副画素は画素回路を備える。副画素は２５．９％の開口率を備え、赤色、緑色または青色の光を透過する着色材料を含む絶縁膜を備える。副画素はタンデム型の有機エレクトロルミネッセンス素子を備える。タンデム型の有機エレクトロルミネッセンス素子は白色の光を射出する。【０３３３】画素回路は容量素子および２つのトランジスタを備える。トランジスタはトップゲート型の構造を備える。なお、トランジスタの半導体にＣＡＣ−ＯＳを用いた。【０３３４】《ゲートドライバ》
ゲートドライバは選択信号を画素に供給する機能を備える。例えば、６０Ｈｚまたは１２０Ｈｚの頻度で選択信号を供給する機能を備える。また、ゲートドライバは画素回路に用いるトランジスタと同一の工程で形成した半導体を備える。【０３３５】《ソースドライバ》
ソースドライバは画像信号を生成し、供給する機能を備える。また、ソースドライバはシリコン単結晶を半導体に備える集積回路をＣＯＦ法を用いて信号線と電気的に接続された。【０３３６】
【表１】
2018193340.tif 000003
【０３３７】＜評価＞
列方向（図中に矢印Ｃ１で示す方向）に並ぶ画素の間にある開口部５５２Ａ（ｉ，ｊ）および開口部５５２Ａ（ｉ，ｊ＋１）から、光は漏れなかった（図１９（Ａ）参照）。【０３３８】（比較例）
本比較例では、着色膜の構成が異なる表示パネルを作製した結果を、図１９および図２０を参照しながら説明する。【０３３９】図１９（Ｂ）は、作製した表示パネルの表示状態を説明する光学顕微鏡写真である。【０３４０】図２０は、作製した表示パネルの構造を説明する下面図であり、図２０（Ｂ）は図２０（Ａ）の一部を説明する下面図であり、図２０（Ｃ）は図２０（Ａ）の切断線Ｘ２１−Ｘ２３における断面図である。【０３４１】＜表示パネルの構成＞
作製した表示パネルは、絶縁膜５２１Ｃが開口部２２Ａ（ｉ，ｊ）および２２Ａ（ｉ，ｊ＋１）を備える（図２０（Ｃ）参照）。これにより、作製した表示パネルは、着色膜が形成されていない領域を、列方向に並ぶ画素の間に備える。【０３４２】＜評価＞
列方向に並ぶ画素の間にある開口部２２Ａ（ｉ，ｊ）および開口部２２Ａ（ｉ，ｊ＋１）から、光が漏れた（図１９（Ｂ）参照）。
【符号の説明】
【０３４３】ＡＮＯ：導電膜、Ｃ２１：容量素子、ＣＩ：制御情報、ｄ１：距離、ＤＳ：検知情報、Ｇ１：走査線、Ｇ２：走査線、Ｐ１：位置情報、Ｓ２：信号線、ＳＳ：制御信号、ＳＷ２：スイッチ、Ｖ１：画像情報、Ｖ１１：情報、ＶＣＯＭ２：導電膜、２２Ａ：開口部、４１：レジスト、２００：情報処理装置、２１０：演算装置、２１１：演算部、２１２：記憶部、２１４：伝送路、２１５：入出力インターフェース、２２０：入出力装置、２３０：表示部、２３１：表示領域、２３３：制御回路、２３４：伸張回路、２３５：画像処理回路、２３８：制御部、２４０：入力部、２４１：検知領域、２５０：検知部、２９０：通信部、５０１Ｃ：絶縁膜、５０１Ｄ：絶縁膜、５０４：絶縁膜、５０６：絶縁膜、５０８Ａ：領域、５０８Ｂ：領域、５１２Ａ：導電膜、５１６Ａ：絶縁膜、５１６Ｂ：絶縁膜、５１８：絶縁膜、５２０：機能層、５２１：絶縁膜、５２１Ｃ：絶縁膜、５２１Ｂ：着色膜、５２１Ｇ：着色膜、５２１Ｒ：着色膜、５２２Ａ：開口部、５２２Ｃ：開口部、５２４Ｃ：導電膜、５３０：画素回路、５５０：表示素子、５５１：電極、５５２Ａ：開口部、７００：表示パネル、７００Ｂ：表示パネル、７００ＴＰ：入出力パネル、７０２：画素、７０３：画素、７７５：検知素子、５２００Ｂ：情報処理装置、５２１０：演算装置、５２２０：入出力装置、５２３０：表示部、５２４０：入力部、５２５０：検知部、５２９０：通信部
【図１】
2018193340.tif 000004
【図２】
2018193340.tif 000005
【図３】
2018193340.tif 000006
【図４】
2018193340.tif 000007
【図５】
2018193340.tif 000008
【図６】
2018193340.tif 000009
【図７】
2018193340.tif 000010
【図８】
2018193340.tif 000011
【図９】
2018193340.tif 000012
【図１０】
2018193340.tif 000013
【図１１】
2018193340.tif 000014
【図１２】
2018193340.tif 000015
【図１３】
2018193340.tif 000016
【図１４】
2018193340.tif 000017
【図１５】
2018193340.tif 000018
【図１６】
2018193340.tif 000019
【図１７】
2018193340.tif 000020
【図１８】
2018193340.tif 000021
【図１９】
2018193340.tif 000022
【図２０】
2018193340.tif 000023
【国際調査報告】
2018193340.tif 000024
2018193340.tif 000025
2018193340.tif 000026